【事件の表示】
　特願２００４−３６４３９４「熱転写シート、その製造法およびこの熱転写シートが転写された画像形成体」拒絶査定不服審判事件〔平成１７年　８月　４日出願公開、特開２００５−２０８６０１〕について、次のとおり審決する。
【結　論】
　本件審判の請求は、成り立たない。
【理　由】
第１　手続の経緯
　本願は、平成１６年１２月１６日（優先権主張平成１５年１２月２４日）の出願であって、平成２０年４月２８日付けで手続補正がなされ、同年１２月１日付けで拒絶査定がなされ、これに対して、平成２１年１月５日付けで拒絶査定不服審判の請求がなされるとともに、同年２月４日付けで手続補正がなされ、当審において、平成２１年２月４日付けの手続補正が、平成２２年９月２２日付けで却下されるとともに、同日付けで拒絶の理由（以下「当審拒絶理由」という。）の通知がなされ、同年１１月１９日付けで手続補正がなされたものである。
　
第２　平成２２年１１月１９日付けの手続補正についての補正却下の決定
〔補正却下の決定の結論〕
　平成２２年１１月１９日付けの手続補正を却下する。
　
〔理由〕
１　補正の内容
　平成２２年１１月１９日付けの手続補正（以下「本件補正」という。）は、特許請求の範囲についてするもので、特許請求の範囲の請求項１については、本件補正前に、
　
「基材シートと、
　この基材シート上に剥離可能に設けられた透明転写層からなる熱転写シートであって、
　前記透明転写層の少なくとも一部
にホ
　前記透明転写層が、保護層を有する中間転写媒体と
、ホ
の
　前記基材シートの、保護層を有する中間転写媒体が形成されていない部分に、色材層が形成されて
いる
とあったものを、
　
「基材シートと、
　この基材シート上に剥離可能に設けられた透明転写層からなる熱転写シートであって、
　前記透明転写層の少なくとも一部に
体積
　前記透明転写層が、保護層を有する中間転写媒体と、
体積
とが接着層兼受容層を介して積層された
　前記基材シートの、保護層を有する中間転写媒体が形成されていない部分に、色材層が形成されて
おり、
　
前記色材層が、熱昇華性色材層または熱溶融性色材層からなる
とするものである（下線は審決で付した。以下同じ。）。
　
２　特許法第１７条の２第３項に規定する要件について
（１）本件補正後の請求項１には、「前記透明転写層が、保護層を有する中間転写媒体と、体積ホログラム層を有するホログラム転写層とが
接着層兼受容層
色材層
　
（２）上記（１）の「色材層」に関して、本願の願書に最初に添付した明細書、特許請求の範囲及び図面（以下「当初明細書等」という。）には、次の事項が記載されている。
　
　ア　「【００２８】
  第三の態様：面順次転写シート
  図４（ｂ）は、第三の態様の好ましい一具体例を示すものである。
  この図４（ｂ）に示される熱転写シート１は、基材シート２と、この基材シート２より剥離可能な透明転写層３からなるものであって、保護層を有する中間転写媒体（イ）上に、粘着層６αを介して体積ホログラム層を有する体積ホログラム転写層（ロ）が積層されたものである。保護層を有する中間転写媒体（イ）は、離型層１１および保護層５とからなっており、体積ホログラム層を有する体積ホログラム転写層（ロ）は、接着層７、体積ホログラム層８および接着層９からなっている。尚、上記の粘着層６αの代わりに、感圧接着層６βを用いることもできる。
【００２９】
  基材シート２上の保護層を有する中間転写媒体（イ）が形成されていない面部分には、
色材層
【００３０】
  また、必要に応じ基材シート２を易接着加工することにより、基材シート２と
色材層
　
　イ　「【００５３】
  ＜保護層＞
  本発明による熱転写シートにおいて、保護層は透明性を有する樹脂、好ましくは、例えばポリエチレン、ポリプロピレン、ポリフッ化エチレン、ポリフッ化ビニリデン、ポリ塩化ビニル、ポリ塩化ビニリデン、エチレン−ビニルアルコール、ポリビニルアルコール、ポリメチルメタクリレート、ポリエーテルスルホン、ポレーテルエーテルケトン、ポリアミド、テトラフルオロエチレン−パーフルオロアルキルビニルエーテル、ポリエチレンテレフタレート、ポリイミド等を例示することができる。
  ＜離型層＞
  本発明では、離型層を設けることによって熱転写性を向上させることができる。この離型層は、熱転写したときに基材シート側に残り、カード等の被転写物上に付着して残らないようにすることが必要である。特にこの離型層は、第三の態様として示された面順次転写シートのように、基材シート上に
色材層
　
　ウ　「【００５９】
  ＜
色材層
  本発明においては、熱昇華性
色材層
色材層
  例えば次のような
色材層
（イ）イエロー染料層／マゼンダ染料層／シアン染料層／熱転写性保護層
（ロ）イエロー染料層／マゼンダ染料層／シアン染料層／ブラック染料層／熱転写性保護層
（ハ）イエロー染料層／マゼンダ染料層／シアン染料層／ブラック溶融インキ層／熱転写性保護層
（ニ）ブラック染料層／熱転写性保護層
（ホ）ブラック溶融インキ層／熱転写性保護層
（ヘ）イエロー溶融インキ層／マゼンダ溶融インキ層／シアン溶融インキ層／熱転写性保護層
【００６０】
  上記のような各
色材層
　
　エ　「【図面の簡単な説明】
【００８８】…（略）…
【図４】本発明による熱転写シートの一具体例である面順次転写シートを示す模式図。…（略）…
【符号の説明】
【００８９】
  １　　熱転写シート
　２　　基材シート
　３　　透明転写層
　４　　剥離層
　５　　保護層
　６α　粘着層
　６β　感圧接着層
　６’　接着層兼受容層　
　７　　接着層
　８　　体積ホログラム層
　９　　接着層
　１０　基材シート
　１１　離型層
　１２　
色材層
　１３　背面層　
　１４　エンボスホログラム層
　１５　蒸着層
　イ　　保護層を有する中間転写媒体
　ロ　　体積ホログラム層を有する体積ホログラム転写層…（略）…
」
　
（３）上記（２）から、以下の事項を把握することができる。
　ア　第三の態様である熱転写シート１は、基材シート２と、この基材シート２より剥離可能な透明転写層３からなるものである。
　イ　上記アの透明転写層３は、保護層５を有する中間転写媒体（イ）上に、
粘着層
感圧接着層
　ウ　上記アの基材シート２は、中間転写媒体（イ）が形成されていない部分に、色材層１２が設けられたものである。
　
（４）上記（３）から、基材シート２と、この基材シート２より剥離可能な透明転写層３からなり、透明転写層３は、保護層５を有する中間転写媒体（イ）上に、
粘着層
感圧接着層
色材層
　しかしながら、上記（３）から、基材シート２と、この基材シート２より剥離可能な透明転写層３からなり、透明転写層３は、保護層５を有する中間転写媒体（イ）上に、
接着層兼受容層
色材層
　
（５）上記（１）の「接着層兼受容層」に関して、当初明細書等には、次の事項が記載されている。
　
　ア　「【００３２】
  第四の態様：
接着層兼受容層
  図５（ｂ）は、第四の態様の好ましい一具体例を示すものである。  
  この図５（ｂ）に示される熱転写シート１は、基材シート２と、この基材シート２より剥離可能な透明転写層３からなるものであって、保護層を有する中間転写媒体（イ）上に、
接着層兼受容層
【００３３】
  
接着層兼受容層
【００３４】
　この図５（ｂ）に示される熱転写シート１は、図５（ａ）に示されるように、基材シート２上に保護層を有する中間転写媒体（イ）および
接着層兼受容層
　図５（ｃ）は、図５（ｂ）に示される熱転写シート１を模式的に示す斜視図である。」
　
　イ　「【００３８】
　第六の態様：エンボスホログラム中間転写媒体  
　図７（ｂ）は、第六の態様の好ましい一具体例を示すものである。  
　この図７（ｂ）に示される熱転写シート１は、基材シート２と、この基材シート２より剥離可能な透明転写層３からなるものであって、保護層を有する中間転写媒体（イ）上に、
接着層兼受容層
【００３９】
　
接着層兼受容層
【００４０】
　この図７（ｂ）に示された熱転写シート１は、図７（ａ）に示されるように、基材シート２上に保護層を有する中間転写媒体（イ）および
接着層兼受容層
【００４１】
　この第六の態様では、体積ホログラム層８とエンボスホログラム層１４との二種類のホログラム層が形成されている。この二種のホログラムの立体的配置に相乗効果により、偽造、変造の防止性がより向上している。一般にエンボスホログラム加工は容易かつ廉価に行えることから熱転写シート（イ）の全面に形成することしても製造価格的に大きな不利にならない。
【００４２】
　
接着層兼受容層
　図７（ｃ）は、図７（ｂ）に示される熱転写シート１を模式的に示す斜視図である。」
　
　ウ　「【図面の簡単な説明】
【００８８】…（略）…
【図７】本発明による熱転写シートの一具体例であるエンボスホログラム中間転写媒体シートを示す模式図。…（略）…
」
　
（６）上記（５）から、以下の事項を把握することができる。
　ア　第六の態様である熱転写シート１は、基材シート２と、この基材シート２より剥離可能な透明転写層３からなるものである。
　イ　上記アの透明転写層３は、保護層５を有する中間転写媒体（イ）上に、
接着層兼受容層
　ウ　上記イの
接着層兼受容層
　
（７）上記（６）から、基材シート２と、この基材シート２より剥離可能な透明転写層３からなり、透明転写層３は、保護層５を有する中間転写媒体（イ）上に、
接着層兼受容層
　しかしながら、上記（６）から、基材シート２と、この基材シート２より剥離可能な透明転写層３からなり、透明転写層３は、保護層５を有する中間転写媒体（イ）上に、
接着層兼受容層
色材層
　
（８）上記（４）及び（７）のとおり、「色材層」と「接着層兼受容層」とを共に備えた熱転写シートは、当初明細書等の記載から把握することができるものでないから、本件補正後の請求項１の「前記透明転写層が、保護層を有する中間転写媒体と、体積ホログラム層を有するホログラム転写層とが
接着層兼受容層
色材層
　したがって、本件補正は、当初明細書等のすべての記載を総合することにより導かれる技術的事項との関係において、新たな技術的事項を導入しないものでないから、当初明細書等に記載した事項の範囲内においてするものでない。
　
（９）以上のとおり、本件補正は、願書に最初に添付した明細書、特許請求の範囲又は図面に記載した事項の範囲内においてするものでないから、平成１８年法律第５５号改正附則第３条第１項によりなお従前の例によるとされる同法による改正前の特許法（以下「旧特許法」という。）第１７条の２第３項の規定に違反するものである。
　
３　特許法第１７条の２第４項に規定する要件について
（１）補正の内容
　請求項１に係る本件補正は、次の補正事項からなる。
　ア　本件補正前の請求項１の発明特定事項である「ホログラム層」を、「体積ホログラム層」と限定する。
　イ　本件補正前の請求項１の発明特定事項である「透明転写層」をなす「『中間転写媒体』と『ホログラム転写層』の『積層体』」を、「『中間転写媒体』と『ホログラム転写層』とが『接着層兼受容層』を介して積層された」ものと限定する。
　ウ　本件補正前の請求項１の発明特定事項である「色材層」を、「熱昇華性色材層または熱溶融性色材層からなる」ものと限定する。
　
（２）補正の目的
　上記（１）の補正事項アないしウは、いずれも本件補正前の請求項１の発明特定事項を限定して本件補正後の請求項１とするものであるから、請求項１に係る本件補正は、旧特許法第１７条の２第４項第２号に掲げる特許請求の範囲の減縮を目的とするものである。
　そこで、本件補正後の請求項１に係る発明（以下「本願補正発明」という。）が特許出願の際独立して特許を受けることができるものであるか（旧特許法第１７条の２第５項において準用する同法第１２６条第５項の規定に適合するか）について以下検討する。
　
４　独立特許要件について
（１）刊行物の記載事項
　当審拒絶理由に引用され、本願の優先日前に頒布された刊行物である特開２００１−１０２３１号公報（以下「引用例」という。）には、次の事項が図とともに記載されている。
　
　ア　「【００５６】次に、他の実施の形態の画像記録体作成装置を図７及び図８に示し、図７は画像記録体作成装置の概略構成図、図８は画像記録体の層構成を示す図である。
【００５７】この実施の形態の画像記録体作成装置１では、情報記録部２０には、イエローリボンカセット２１、マゼンタリボンカセット２２、シアンリボンカセット２３、ブラックリボンカセット２４が配置され、それぞれに対応して記録ヘッド２５〜２８が配置されている。
イエローリボン、マゼンタリボン、シアンリボン等の熱転写シート
【００５８】セキュリティ付与部４０には、転写箔カセット４１が配置され、この転写箔カセット４１に対応して熱転写ヘッド４２が配置されている。転写箔カセット４１に光学変化素子転写箔４３がセットされ、光学変化素子転写層４３０を転写し
光学変化素子層が設けられ
【００５９】保護付与部６０では、硬化箔カセット６１が配置され、この硬化箔カセット６１に対応して熱転写ヘッド６２が配置されている。硬化箔カセット６１の硬化箔６３を熱転写して
硬化透明保護転写層６３０が設けられる
…（略）…
【００６３】画像記録体２１０に画像情報５３と書誌情報５４を設けた後に、光学変化素子層２００を転写して、少なくとも画像記録体２１０の画像情報５３に形成し、光学変化素子層２００はカード全体の５％〜８０％が好ましい。光学変化素子層２００を設ける位置は、画像情報５３と書誌情報５４の顔画像と文字にかかる部分が好ましく、画像記録体長手方向において、端部から各々１０ｍｍ以上の内側に形成することが好ましく、硬化等の剥離に強く、高精度のカードを作成することができる。
【００６４】
光学変化素子層２００を転写して形成した後に、その上に硬化シート（箔又は樹脂硬化）を形成する
【００６５】図１０は
リボン
【００６６】図１０（ｂ）の実施の形態のリボン３００には、イエロー色素３０１、マゼンタ色素３０２、シアン色素３０３、光学変化素子層３０４、ブラック色素３０５及び硬化層３０６が転写順序方向に設けられている。このリボン３００を用いることで、同様に１つのカセッテを用いて、コンパクトな装置で支持体上に、階調を有する画像情報を形成した後、光学変化素子層３０４を設け、その後にブラック色素３０５によって書誌情報を形成し、さらに最後段に硬化層３０６が設けられている。
【００６７】これらの例の他に
イエロー色素３０１、マゼンタ色素３０２、シアン色素３０３の後にブラック色素３０５を載せ、その後に光学変化素子層３０４と硬化層３０６を並べて形成する
光学変化素子層３０４と保護のための硬化層３０６を一枚に予め重ねて形成しておく
　
　イ　「【００７１】次に、この発明の画像記録層について説明する。
【００７２】この発明の画像要素は、顔画像等の認証識別画像、属性情報画像、フォーマット印刷から選ばれる少なくとも一つが設けられた情報担持層上の画像又は印刷面側に、熱転写シートを用いて保護層を形成したものである。
【００７３】顔画像に代表される認証識別画像の形成方法としては、階調画像形成に有利である銀塩写真方式や昇華型感熱転写記録方式が挙られ、近年は運転免許証に代表されるように後者が一般的になっている。
【００７４】属性情報とは氏名、住所、生年月日、資格等であり、属性情報は通常文字情報として記録され溶融型感熱転写記録方法が一般的である。フォーマット印刷は基体上又は昇華型感熱記録方式に用いられる受像層上に樹脂凸版印刷、平版印刷、シルク印刷等の印刷方法により施す。絵柄層としては印刷物、ホログラム、バーコード、マット調柄、細紋、地紋、凹凸パターンなどで適時選択され、可視光吸収色材、紫外線吸収材、赤外線吸収材、蛍光増白材、金属蒸着層、ガラス蒸着層などからなる。中間層としての機能は、被転写体の凹凸を吸収するためのクッション機能や、転写後の絵柄層を保護する目的で樹脂硬化機能として光硬化樹脂層、熱硬化樹脂層が付加される。
【００７５】転写箔の被転写材への転写は通常サーマルヘッド、ヒートローラー、ホットスタンプマシンなどの加熱しながら加圧を行える手段を用い転写を行う。
【００７６】
昇華画像形成方法は、昇華型感熱転写記録用インクシートを用いる。昇華型感熱転写記録用インクシートは、支持体とその上に形成された昇華性色素含有インク層とで構成する
…（略）…
【００８４】この発明では、
イエロー色素、マゼンタ色素、シアン色素が昇華型熱転写により形成され、ブラック色素が溶融型熱転写により形成される
【００８５】この発明では、ブラック色素が熱溶融性インクシートを用いて溶融型熱転写により形成することが好ましい。
【００８６】熱溶融性インクシート
熱溶融性インクシートは、支持体上に熱溶融性インク層を積層してなる
【００８７】次に、この発明の熱溶融性インクシートの構成について、支持体、剥離層、熱溶融性インク層の順に説明する。」
　
　ウ　「【０１０４】次に、この発明の転写箔について説明する。
【０１０５】
転写箔
支持体
最下層として剥離層を設け最上層として接着層が設けられており
【０１０６】
転写箔
剥離層
【０１０７】また、シリコーン化合物と同様に他のポリマーに付加させることも可能である。この他シリカ粒子や窒化ホウ素等の微細（ミクロンまたはサブミクロンオーダー）な粒子なども有効である。厚みは０．１〜２μｍが好ましい。
【０１０８】転写箔の
接着層
【０１０９】具体的には、ウレタン変性エチレンエチルアクリレート共重合体としては東邦化学工業（株）製のハイテックＳ−６２５４、Ｓ−６２５４Ｂ、Ｓ−３１２９等が市販され、ポリアクリル酸エステル共重合体としては日本純薬（株）製のジュリマーＡＴ−２１０、ＡＴ−５１０、ＡＴ−６１３、互応化学工業（株）製のプラスサイズＬ−２０１、ＳＲ−１０２、ＳＲ−１０３、Ｊ−４等が市販されている。ウレタン変性エチレンエチルアクリレート共重合体とポリアクリル酸エステル共重合体の重量比は９：１から５：５が好ましく、接着層の厚みは０．１〜１．０μｍが好ましい。
【０１１０】転写箔の中間層としては、中間層１層以上の層から構成されることが好ましく場合によりプライマー層、バリヤ層として介在しても層間の接着性をさらに向上させてもよい。具体的な化合物としては、ポリスチレンとポリオレフィンのブロックポリマーからなる熱可塑性樹脂、ポリビニルブチラール等が好ましい。この発明の中間層における重合度が１０００以上のポリビニルブチラール樹脂としては、積水化学工業（株）製のエスレックＢＨ−３、ＢＸ−１、ＢＸ−２、ＢＸ−５、ＢＸ−５５、ＢＨ−Ｓ、電気化学工業（株）製のデンカブチラール＃４０００−２、＃５０００−Ａ、＃６０００−ＥＰ等が市販されている。中間層のポリブチラールの熱硬化樹脂としては熱硬化前の重合度に限定はなく低重合度の樹脂でもよく、熱硬化にはイソシアネート硬化剤やエポキシ硬化剤等を用いることができ、熱硬化条件は５０〜９０℃で１〜２４時間が好ましい。中間層の厚みは０．１〜１．０μｍが好ましい。
【０１１１】この発明の
光学変化素子としては、ホログラムが用いられ
【０１１２】この発明で用いるホログラムは、レリーフホログラム、フレネルホログラム、フラウンホーファーホログラム、レンズレスフーリエ変換ホログラム、イメージホログラム等のレーザー再生ホログラム、リップマンホログラム、レインボーホログラム等の白色再生ホログラム、カラーホログラム、コンピュータホログラム、ホログラムディスプレイ、マルチフレックスホログラム、ホログラムフレックステレオグラム、ホログラフィック回折格子等任意に採用できる。
【０１１３】
ホログラム層
　
　エ　「【図１０】
」
　
　オ　上記アの【００６４】の「光学変化素子層２００を転写して形成した後に、その上に硬化シート（箔又は樹脂硬化）を形成する。」との記載によれば、硬化シート（硬化層）は、転写後の光学変化素子層の上に形成され、該光学変化素子層を保護するものであるから、転写前の硬化層及び光学変化素子層が形成されているリボンに関する記載である上記イの【００６７】の「光学変化素子層３０４と保護のための硬化層３０６を一枚に予め重ねて形成しておく」とは、
硬化層上に光学変化素子層を予め重ねて形成しておく
　
　カ　上記アないしオから、引用例には、次の発明（以下「引用発明」という。）が記載されていると認められる。
　
「支持体上に、イエロー色素、マゼンタ色素、シアン色素の後にブラック色素を載せ、その後に硬化透明保護転写層上にホログラム層を予め重ねて形成した熱転写シートであって、
　前記硬化透明保護転写層の下に剥離層が、前記ホログラム層の上に接着層がそれぞれ設けられ、
　前記イエロー色素、マゼンタ色素、シアン色素が昇華性色素含有インク層をなし、前記ブラック色素が熱溶融性インク層をなす、
　熱転写シート。」
　
（２）対比
　本願補正発明と引用発明とを対比する。
　ア　引用発明の「支持体」、「硬化透明保護転写層」、「昇華性色素含有インク層」及び「熱溶融性インク層」は、それぞれ、本願補正発明の「基材シート」、「保護層」、「『熱昇華性色材層』からなる『色材層』」及び「『熱溶融性色材層』からなる『色材層』」に相当する。
　
　イ　引用発明の「保護層（硬化透明保護転写層）」は、本願補正発明の「保護層を有する中間転写媒体」に相当し、引用発明の「ホログラム層」とその上の「接着層」とを合わせたものは、本願補正発明の「体積ホログラム層を有するホログラム転写層」と「ホログラム層を有するホログラム転写層」の点で一致する。
　
　ウ　引用発明の熱転写シートは、「基材シート（支持体）」上に、剥離層、「保護層（硬化透明保護転写層）」、ホログラム層、接着層を積層したものであって、「保護層」とホログラム層と接着層とを合わせたものは、剥離可能な転写層といえるものであるから、本願補正発明の「転写層」に相当するとともに、引用発明の「熱転写シート」と本願補正発明の「基材シートと、この基材シート上に剥離可能に設けられた透明転写層からなる熱転写シート」とは、「基材シートと、この基材シート上に剥離可能に設けられた転写層からなる熱転写シート」である点で一致するといえる。
　
　エ　引用発明の「転写層」は、硬化透明保護転写層とホログラム層と接着層とを合わせたものである（上記ウ参照。）から、引用発明の「転写層」と本願補正発明の「『少なくとも一部に体積ホログラム層が形成されて』いる『透明転写層』」とは、「少なくとも一部にホログラム層が形成されている転写層」である点で一致するといえる。
　
　オ　引用発明の「転写層」は、「保護層を有する中間転写媒体（硬化透明保護転写層）」と「ホログラム層を有するホログラム転写層（ホログラム層と接着層）」とを合わせたものである（上記ウ参照。）から、引用発明の「転写層」と本願補正発明の「『保護層を有する中間転写媒体と、体積ホログラム層を有するホログラム転写層とが接着層兼受容層を介して積層された積層体』からなる『透明転写層』」とは、「保護層を有する中間転写媒体と、ホログラム層を有するホログラム転写層とが積層された積層体からなる転写層」である点でも一致するといえる。
　
　カ　引用発明の熱転写シートは、「基材シート（支持体）」に、「熱昇華性色材層からなる色材層（昇華性色素含有インク層）」をなすイエロー色素、マゼンタ色素、シアン色素の後に「熱溶融性色材層からなる色材層（昇華性色素含有インク層）」をなすブラック色素を載せ、その後に、「保護層を有する中間転写媒体（硬化透明保護転写層）」と「ホログラム層を有するホログラム転写層（ホログラム層と接着層）」を重ねて形成したものであるから、引用発明は、本願補正発明の「基材シートの、保護層を有する中間転写媒体が形成されていない部分に、色材層が形成されており、前記色材層が、熱昇華性色材層または熱溶融性色材層からなる」との事項を備えている。
　
　キ　上記アないしカから、本願補正発明と引用発明とは、
「基材シートと、
　この基材シート上に剥離可能に設けられた転写層からなる熱転写シートであって、
　前記転写層の少なくとも一部にホログラム層が形成されており、
　前記転写層が、保護層を有する中間転写媒体と、ホログラム層を有するホログラム転写層とが積層された積層体からなるものであり、
　前記基材シートの、保護層を有する中間転写媒体が形成されていない部分に、色材層が形成されており、
　前記色材層が、熱昇華性色材層または熱溶融性色材層からなる、熱転写シート。」
である点で一致し、次の点で相違する。
　
相違点：
　本願補正発明では、前記ホログラム層が、「体積ホログラム層」であり、前記転写層が、「透明転写層」であるとともに、前記中間転写媒体と前記ホログラム転写層とが「接着層兼受容層を介して」積層された積層体からなるのに対して、
　引用発明では、前記ホログラム層が、そのような体積ホログラム層であるのか明らかでなく、前記転写層が、そのような透明転写層であるのか明らかでない点。
　
（３）判断
　上記相違点について検討する。
　ア　体積ホログラムは、本願の優先日前に周知である（以下「周知技術１」という。例．特開２００３−５８０２６号公報の特に【請求項１】、特開２００２−３５８０１８号公報の特に【請求項１】、特開２００３−２２０６６２号公報の特に【請求項３】、特開２０００−１７２１５６号公報の特に【請求項１】参照。）。
　
　イ　引用発明において、ホログラム層を含む転写層の光透過性をどの程度とするかは、転写後のホログラムの視認性などを考慮して、当業者が適宜決定すべき設計事項というべきものである。
　
　ウ　保護層と体積ホログラムとを積層する際に接着剤を用いることは、本願の優先日前に周知である（以下「周知技術２」という。例．上記特開２００３−５８０２６号公報の特に【請求項３】及び【図１】（ｂ）、上記特開２００３−２２０６６２号公報の特に【請求項１２】、【請求項１３】、【図１】（ｂ）、【図２】（ｂ）参照。）。
　
　エ　接着層兼受容層は、本願の優先日前に周知である（以下「周知技術３」という。例．特開２００１−１１４０４号公報の特に【００１２】ないし【００１６】、特開平１１−１０１０号公報の特に【００３６】、特開平７−１８６５１５号公報の特に【請求項１】、特開平７−１８６５１６号公報の特に【請求項１】、特開２００２−３０７８７８号公報の特に【００３０】参照。）。ここで、受像層と受容層とが同義であることは、当業者に自明である（例．特開平７−４０６７１号公報【０００６】「…（略）…受容層（受像層）…（略）…」、特開２０００−１５８８２８号公報【００６０】「受像層（受容層）…（略）…」参照。）。
　
　オ　上記アないしエから、引用発明において、ホログラム層のホログラムとして体積ホログラムを用いるとともに、転写層を光透過性が高い透明なものとし、かつ、中間転写媒体とホログラム転写層とを、接着層兼受容層を介して積層することとし、上記相違点に係る本願補正発明の構成となすことは、当業者が、周知技術１ないし周知技術３に基づいて容易になし得たことである。　
　
　カ　効果について
　本願補正発明の奏する効果は、当業者が、引用発明の奏する効果及び周知技術１ないし３それぞれの奏する効果から予測できた程度のものである。
　
　カ　まとめ
　以上のとおり、本願補正発明は、当業者が、引用例に記載された発明及び周知技術１ないし３に基づいて容易に発明をすることができたものである。
　したがって、本願補正発明は、特許法第２９条第２項の規定により特許出願の際独立して特許を受けることができないものである。
　
５　小括
　本件補正は、上記２のとおり、旧特許法第１７条の２第３項の規定に違反するものである。
　また、本願補正発明は、上記４のとおり、特許出願の際独立して特許を受けることができないものであるから、本件補正は、旧特許法第１７条の２第５項において準用する同法第１２６条第５項の規定に違反するものである。
　したがって、本件補正は、旧特許法第１５９条第１項において読み替えて準用する同法第５３条第１項の規定により却下すべきものである。
　
第３　本願発明について
１　本願発明
　本件補正は、上記第２のとおり却下されたので、本願の請求項１ないし１０に係る発明は、平成２０年４月２８日付けの手続補正により補正された明細書、特許請求の範囲及び図面の記載からみて、特許請求の範囲の請求項１ないし１０に記載された事項によってそれぞれ特定されるとおりのものであると認められるところ、その請求項１に係る発明（以下「本願発明」という。）は、上記第２〔理由〕１（１）に本件補正前の請求項１として示したものである。
　
２　引用例
　当審拒絶理由に引用された引用例及びその記載事項は、上記第２〔理由〕４（１）に記載したとおりのものである。
　
３　対比・判断
　本願発明は、本願補正発明において、その発明を特定するために必要な事項である「ホログラム層」について、「体積ホログラム層」との限定を省き、同じくその発明を特定するために必要な事項である「透明転写層」をなす「『中間転写媒体』と『ホログラム転写層』の『積層体』」について、「『中間転写媒体』と『ホログラム転写層』とが『接着層兼受容層』を介して積層された」ものとの限定を省き、同じくその発明を特定するために必要な事項である「色材層」について、「熱昇華性色材層または熱溶融性色材層からなる」ものとの限定を省いたものである（上記第２〔理由〕３（１）参照。）。
　そうすると、本願発明の構成要件をすべて含み、さらに限定を付加したものに相当する本願補正発明が、上記第２〔理由〕４（３）に記載したとおり、当業者が、引用例に記載された発明及び周知技術１ないし３に基づいて容易に発明をすることができたものであるから、本願発明も同様の理由により、当業者が、引用例に記載された発明及び周知技術１ないし３に基づいて容易に発明をすることができたものである。
　
４　むすび
　以上のとおり、本願発明は、当業者が、引用例に記載された発明及び周知技術１ないし３に基づいて容易に発明をすることができたものであるから、特許法第２９条第２項の規定により特許を受けることができない。
　よって、結論のとおり審決する。